(57)【要約】【課題】  パット動作訓練装置の提供。【解決手段】  逆Ｕ形の固定フレームと、該固定フレームに枢設されて左右にスイング可能なスイングロッドを具え、該スイングロッドの下端に延伸ロッドが接続され、該延伸ロッドに複数種類の形態の挟持手段を接続可能で、この複数種類の挟持手段がパターを挟持するのに供され、使用者がパターのスイング動作を訓練するのに供されて、安定し傾倒しにくい安全性を具えている。【選択図】        図２
2006026061.tif 000002
【特許請求の範囲】
【請求項１】
パット動作訓練装置において、
左右に間隔をおいて直立管が設けられ、各直立管の底部がベースの上に立設され、並びに二つの直立管の上部に吊棒が接続された固定フレームと、
吊棒が通され並びに該吊棒に組み付けられた枢着手段と、
頭部が枢着手段に枢設されて左右にスイング可能とされたスイングロッドと、
スイングロッドに接続され、その自由端にパターを挟持可能なクランプが取り付けられ、吊掛けられたパターの重心を吊棒を通して平穏に二つのベース内に置く挟持手段と、
を具えたことを特徴とする、パット動作訓練装置。
【請求項２】
請求項１記載のパット動作訓練装置において、枢着手段内にスイングロッドが接合され、枢着手段にあってスイングロッドの頭部の中心に軸受が設けられ、スイングロッドの頭部が枢着手段内に枢設され、且つスイングロッドの頭部と枢着手段の接合面の間に環状に球体が組み付けられ、スイングロッドが中心の軸受、後壁の球体、前壁の球体の三組の枢設構造により枢着手段中に枢設されたことを特徴とする、パット動作訓練装置。
【請求項３】
請求項２記載のパット動作訓練装置において、枢着手段は二つの挟持板が接合されてなり、スイングロッド頭部中心に回転孔が設けられ、軸受が軸孔内に嵌合され、この軸受内孔が第１の挟持板に設けられた凸柱が挿入されて位置決めされ、該凸柱の端面が第２の挟持板の内壁面と相互に当接され、並びに連接手段が凸柱を貫通して二つの挟持板を接合し、スイングロッドの頭部を二つの挟持板の間に枢設するのに供され、第１の挟持板の正面に凸柱を中心として複数の凹孔が離間配置され、各凹孔内部に球体が収容され、スイングロッドの頭部にこの球体に対応する環状溝が設けられ、第２の挟持板の内面にも凸柱を中心として環状溝が設けられ、スイングロッド頭部前面の第２の挟持板の環状溝に対応する位置に環形に複数の凹孔が離間配置され、各凹孔、環状溝間に球体が埋め込まれたことを特徴とする、パット動作訓練装置。
【請求項４】
請求項１記載のパット動作訓練装置において、固定フレームは二つのベースの上に直立に設置された直立管を具え、二つの直立管の上部に吊棒が接続されて逆Ｕ形フレームを構成することを特徴とする、パット動作訓練装置。
【請求項５】
請求項４記載のパット動作訓練装置において、固定フレームの二つの直立管の上方にそれぞれ伸縮ロッドが挿入され、該伸縮ロッドと直立管の接合部分が横向きにねじ込まれた緊迫手段により固定され、二つの伸縮ロッドの上部に対向する嵌合管が設けられ、この二つの嵌合管に吊棒の二端が挿入され、別の緊迫手段が嵌合管の外側より径方向にねじ込まれて吊棒が固定され、二つのベースの対向する内側が連接棒で連結されたことを特徴とする、パット動作訓練装置。
【請求項６】
請求項１記載のパット動作訓練装置において、スイングロッドの下段に縦向きにＴ形溝が設けられ、該スイングロッドのＴ形溝中は延伸ロッドの挿入に供され、延伸ロッドに縦向きに連続する凹凸波形の係止溝が設けられ、この係止溝はスイングロッド内部の係止ユニットに対応し、係止ユニットはスイングロッド後面にネジ管を具え、ネジ管内部に弾性体とそれに付勢されるビーズを具え、ビーズがこの係止溝に係止され、該弾性体がボルトに圧迫され、このボルトが該ネジ管に螺合され、
スイングロッドのＴ形溝中の底端前後方向に管孔が設けられ、該管孔はボルトの通過に供され並びにそのボルトがナットと螺合され、延伸ロッドのこのナットに対応する位置に長い貫通孔が設けられ、この貫通孔がボルトの通過とナットとの螺合に供され、これにより延伸ロッドがスイングロッドと固定されたことを特徴とする、パット動作訓練装置。
【発明の詳細な説明】
【技術分野】
【０００１】
本発明はゴルフのパットの練習機構に係り、特にしっかりと地面上に架設でき、傾倒して危険を発生しにくいパットスイング動作訓練装置に関する。
【背景技術】
【０００２】
図１は特許文献１に記載のゴルフのパット動作練習装置を示す。それは地面上に置かれたブロック状のベース１０’を具え、該ベース１０’の前方にフレームロッド２１’が立てられ、該フレームロッド２１’の上部に挿入部２２１’が接続され、該挿入部２２１’が一側に向けて延伸され折り曲げられてコ字形の折り曲げ部２２２’が設けられ、該折り曲げ部２２２’の前側に方形の第１ロッド３０’がネジ止めされ、該第１ロッド３０’の下端に更に第２ロッド４０’が接続され、該第２ロッド４０’の下方に挟持装置３’が枢着され、該挟持装置３’がパターＢを挟持する。このフレームロッド２１’はベース１０’の前端に立設されるため、フレームロッド２１’の前端が該ベース１０’の前方に突出するほか、第１ロッド３０’及び第２ロッド４０’の吊掛に供され、このことからベース１０’の重心が必ずベース１０’前方にあることが想像され、もしフレームロッド２１’をベース１０’の中央に移動させればパターのヘッドがベース１０’の前壁に衝突してしまう。このようなゴルフのパット動作練習装置の前方の傾倒を防止するため、業者はベース１０’の重量を増してこのパット動作練習装置の前後の重力のバランスをとっている。ただし家に小さな子供がいる場合等は相当に危険である。それは挟持装置３’が下向きに引っ張られたりベース１０’に対して反対方向の衝突を受けると、ベース１０’は極めてて容易に前向きに傾倒し、さらにベース１０’はもともとその前後の重力のバランスをとるためにベース１０’本体の重量が増されているため、却って子供を押しつぶす恐れがあるためである。ゆえに使用上、危険をはらんでいる。
【０００３】
このほか、特許文献２、３の両案もまた図１の構造と同様の欠点を有している。
【０００４】
これを鑑み、本発明は以上の従来の技術の欠点を解決するパット動作訓練装置を提供するものである。
【０００５】
【特許文献１】台湾特許出願第９０２１２９７５号明細書
【特許文献２】米国特許第６６７２９７４Ｂ１号明細書
【特許文献３】米国特許第６５９５８６５Ｂ２号明細書
【発明の開示】
【発明が解決しようとする課題】
【０００６】
本発明は傾倒の危険の発生を有効に隔絶でき、スイングロッドの枢着設計によりスムーズなスイング効果を達成できるパット動作訓練装置を提供するものである。
【０００７】
この設計の目的を達成するため、本発明は特に以下の構造により達成される。すなわち、本発明は逆Ｕ形の固定フレームを具え、該固定フレームに左右にスイング可能なスイングロッドが枢着され、該スイングロッドの下端に延伸ロッドが接続可能とされ、該延伸ロッドに異なる形態の挟持手段が接続可能とされてパターを挟持可能とされ、固定フレームの設計により重心が外側に偏り傾倒するのが防止される。
【課題を解決するための手段】
【０００８】
請求項１の発明は、パット動作訓練装置において、
左右に間隔をおいて直立管が設けられ、各直立管の底部がベースの上に立設され、並びに二つの直立管の上部に吊棒が接続された固定フレームと、
吊棒が通され並びに該吊棒に組み付けられた枢着手段と、
頭部が枢着手段に枢設されて左右にスイング可能とされたスイングロッドと、
スイングロッドに接続され、その自由端にパターを挟持可能なクランプが取り付けられ、吊掛けられたパターの重心を吊棒を通して平穏に二つのベース内に置く挟持手段と、
を具えたことを特徴とする、パット動作訓練装置としている。
請求項２の発明は、請求項１記載のパット動作訓練装置において、枢着手段内にスイングロッドが接合され、枢着手段にあってスイングロッドの頭部の中心に軸受が設けられ、スイングロッドの頭部が枢着手段内に枢設され、且つスイングロッドの頭部と枢着手段の接合面の間に環状に球体が組み付けられ、スイングロッドが中心の軸受、後壁の球体、前壁の球体の三組の枢設構造により枢着手段中に枢設されたことを特徴とする、パット動作訓練装置としている。
請求項３の発明は、請求項２記載のパット動作訓練装置において、枢着手段は二つの挟持板が接合されてなり、スイングロッド頭部中心に回転孔が設けられ、軸受が軸孔内に嵌合され、この軸受内孔が第１の挟持板に設けられた凸柱が挿入されて位置決めされ、該凸柱の端面が第２の挟持板の内壁面と相互に当接され、並びに連接手段が凸柱を貫通して二つの挟持板を接合し、スイングロッドの頭部を二つの挟持板の間に枢設するのに供され、第１の挟持板の正面に凸柱を中心として複数の凹孔が離間配置され、各凹孔内部に球体が収容され、スイングロッドの頭部にこの球体に対応する環状溝が設けられ、第２の挟持板の内面にも凸柱を中心として環状溝が設けられ、スイングロッド頭部前面の第２の挟持板の環状溝に対応する位置に環形に複数の凹孔が離間配置され、各凹孔、環状溝間に球体が埋め込まれたことを特徴とする、パット動作訓練装置としている。
請求項４の発明は、請求項１記載のパット動作訓練装置において、固定フレームは二つのベースの上に直立に設置された直立管を具え、二つの直立管の上部に吊棒が接続されて逆Ｕ形フレームを構成することを特徴とする、パット動作訓練装置としている。
請求項５の発明は、請求項４記載のパット動作訓練装置において、固定フレームの二つの直立管の上方にそれぞれ伸縮ロッドが挿入され、該伸縮ロッドと直立管の接合部分が横向きにねじ込まれた緊迫手段により固定され、二つの伸縮ロッドの上部に対向する嵌合管が設けられ、この二つの嵌合管に吊棒の二端が挿入され、別の緊迫手段が嵌合管の外側より径方向にねじ込まれて吊棒が固定され、二つのベースの対向する内側が連接棒で連結されたことを特徴とする、パット動作訓練装置としている。
請求項６の発明は、請求項１記載のパット動作訓練装置において、スイングロッドの下段に縦向きにＴ形溝が設けられ、該スイングロッドのＴ形溝中は延伸ロッドの挿入に供され、延伸ロッドに縦向きに連続する凹凸波形の係止溝が設けられ、この係止溝はスイングロッド内部の係止ユニットに対応し、係止ユニットはスイングロッド後面にネジ管を具え、ネジ管内部に弾性体とそれに付勢されるビーズを具え、ビーズがこの係止溝に係止され、該弾性体がボルトに圧迫され、このボルトが該ネジ管に螺合され、
スイングロッドのＴ形溝中の底端前後方向に管孔が設けられ、該管孔はボルトの通過に供され並びにそのボルトがナットと螺合され、延伸ロッドのこのナットに対応する位置に長い貫通孔が設けられ、この貫通孔がボルトの通過とナットとの螺合に供され、これにより延伸ロッドがスイングロッドと固定されたことを特徴とする、パット動作訓練装置としている。
【発明の効果】
【０００９】
本発明のパット動作訓練装置は、逆Ｕ形の固定フレームと、該固定フレームに枢設されて左右にスイング可能なスイングロッドを具え、該スイングロッドの下端に延伸ロッドが接続され、該延伸ロッドに複数種類の形態の挟持手段を接続可能で、この複数種類の挟持手段がパターを挟持するのに供され、使用者がパターのスイング動作を訓練するのに供されて、安定し傾倒しにくい安全性を具えている。
【発明を実施するための最良の形態】
【００１０】
図２に示されるように、本発明のパット動作訓練装置は、固定フレーム１０、二つの直立管２０、枢着手段３、スイングロッド４０、延伸ロッド５０、挟持手段６０、クランプ７０を具えている。
【００１１】
固定フレーム１０は略逆Ｕ形のフレームとされ、その底部左右にそれぞれベース１１が設けられ、二つのベース１１の相互に対応する位置に、底端より上向きに連通する貫通溝１２が設けられ、二つのベース１１の相互に対応する後側位置に、上端より下向きに未貫通の挿入孔１３が設けられ、該挿入孔１３の内壁よりストッパ１３１が突出し、二つのベース１１の内側の挿入孔１３に対応する位置にそれぞれ嵌合管１４が設けられ、二つの嵌合管１４の間に共同で連接棒１５が通され、並びにピン１６で固定されて二つのベース１１が連接棒１５により連接され、二つのベース１１が作用力を受ける時にぐらつかないものとされている。
【００１２】
該二つの直立管２０は、中空状を呈し、その底部はベース１１上部の挿入孔１３内に挿入され、且つベース１１より上向きに挿入されたボルト２１が直立管２０底部に設けられたネジ孔２２にねじ込まれることにより、二つの直立管２０が対応するベース１１上に立設され、直立管２０の下方に下向きの係止溝２４が設けられてベース１１のストッパ１３１と組み合わされ、これにより直立管２０が回転防止される。該直立管２０の上方に中空の伸縮ロッド２３が嵌合され、直立管２０の上方の伸縮ロッド２３が貫通する位置に径方向の壁孔２５が設けられ、該壁孔２５は緊迫手段２６（例えばボルト）のねじ込みに供され、緊迫手段２６の末端は伸縮ロッド２３に接続或いは分離可能で、伸縮ロッド２３が適当な高さに調整された後、並びに伸縮ロッド２３が該直立管２０に固定された後の、二つの伸縮ロッド２３の上部に開口が対向する嵌め管２３２が設けられ、二つの嵌め管２３２に横向きの吊棒２７が挿入され、並びに該嵌め管２３２の外壁に径方向に別の緊迫手段２３３（例えばボルト）がねじ込まれ、緊迫手段２３３の末端が該吊棒２７の周壁に圧接可能とされ、これにより吊棒２７が二つの伸縮ロッド２３に固着される。
【００１３】
該枢着手段３は図２、３に示されるように、二つの挟持板３０、３００が突き合わされてなり、この二つの挟持板３０、３００は上部の突き合わされた面に等分に横向きに枢着孔３１が設けられ、この枢着孔３１は吊棒２７を挟持し、二つの挟持板３０、３００及び吊棒２７の対応する位置を三つの固定手段３２（例えばボルト）が径方向に貫通し、該固定手段３２は直接吊棒２７を貫通した後にナット３２０で固定され、これにより二つの挟持板３０、３００と吊棒２７が一体に固定される。第１の挟持板３０の背面中央には魚眼孔３３が設けられ、該第１の挟持板３０の正面に、魚眼孔３３を中心として環形に複数の凹孔３４が離間配置され、各凹孔３４の内部に球体３４０（例えばビーズ）が配置され、第１の挟持板３０の正面に魚眼孔３３の位置に沿って凸柱３３０が配置され、第１の挟持板３０の凸柱３３０と挟持板３００の内壁面が相互に当接され、二つの挟持板３０、３００の間に固定ギャップが保持され、このギャップは以下に述べるスイングロッド４０の厚さよりやや大きく、第２の挟持板３００の魚眼孔３３に対応する位置に六角形の沈頭孔３５が設けられ、第２の挟持板３００の内面に穿孔３５を中心として環状溝３６が設けられている。
【００１４】
スイングロッド４０は、扁平な棒状を呈し、その厚さは二つの挟持板３０、３００の組合せの固定ギャップよりやや小さく、その上部に円形頭部４１を具え、該頭部４１の中心に回転孔４１１が設けられ、軸受４２が該回転孔４１１内に嵌合され、この軸受４２の内孔に第１の挟持板３０の凸柱３３０が挿入され、該頭部４１の後面に回転孔４１１を中心として第１の挟持板３０の球体３４０に対応する位置に環状溝４１２が設けられている。このほか、頭部４１の前面の第２の挟持板３００の環状溝３６に対応する位置に複数の凹孔４１３が離間設置され、各凹孔４１３、環状溝３６の間に球体４１４（例えばビーズ）が埋め込まれ、その後、連接手段４１５（例えばネジ）が第１の挟持板３０の魚眼孔３３に挿入され、更にナット４１６で穿孔３５中に置かれることで、スイングロッド４０が枢着手段３中に接続され、スイングロッド４０が中心の軸受４２、後壁の球体３４０、前壁の球体４１４の三組の枢着構造により枢着手段３に枢着され、これにより低摩擦下で軽妙で、スムーズなスイング回転作用が得られる。図２、４に示されるように、該スイングロッド４０の下段に縦向きにＴ形溝４３が設けられ、該スイングロッド４０のＴ形溝４３中の底端前後方向に管孔４４が設けられ、該管孔４４はボルト４５の通過に供され並びにボルト４５がナット５３と螺合され、後述の延伸ロッド５０の固定に供され、スイングロッド４０に別にＴ形溝４３底部左右にそれぞれ係止ユニット４６が設けられ、該係止ユニット４６は前後方向に貫通するネジ管４６１内にボルト４６３がねじ込まれ、該ネジ管４６１内部に並びに弾性体４６４（例えばバネ）及びビーズ４６５が設けられる。
【００１５】
該延伸ロッド５０はＴ形断面を有し、Ｔ形溝４３の底端より挿入、接合され、該延伸ロッド５０のビーズ４６５に対応する縦向き位置に凹凸波形の係止溝５１が設けられ、図２及び図４に示されるように、延伸ロッド５０のスイングロッド４０のＴ形溝４３中での定点スライドがポイント制御される。該延伸ロッド５０に別にボルト４５に対応する位置に貫通する長孔５２が設けられ、該長孔５２はボルト４５の背面からの通過に供され、ボルト４５を正面のナット５３内に螺合させ、延伸ロッド５０をスイングロッド４０と結合せしめ、並びにナット５３の緊緩により個人の身長に応じて延伸ロッド５０のスイングロッド４０より突出する長さを調整できるものとされ、延伸ロッド５０の下方に開口が下向きの嵌合部５４が設けられ、各嵌合部５４の上下を穿孔５５が貫通し、また延伸ロッド５０の左右両側に縦方向に複数の挟持孔５６が分布する。
【００１６】
該挟持手段６０は、図２、４に示されるように、略Ｌ形ロッドとされ、その上部６１が嵌合部５４内にはめ込まれ、並びに二つの貫通孔６２が嵌合部５４の穿孔５５と対応させられ、接続手段６３（例えばボルト）で接続され、別端のナット６３０で固定され、該挟持手段６０が延伸ロッド５０の下端に固定され、該挟持手段６０の別端にはクランプ７０が取り付けられる。
【００１７】
該クランプ７０は図２、５に示されるように、固定ブロック７１と可動ブロック７２で組成され、固定ブロック７１は挟持手段６０に取り付けられ、固定ブロック７１の一側に縦向きに枢設孔７３が設けられ、該枢設孔７３は可動ブロック７２の枢軸７４と接合され、可動ブロック７２が枢設孔７３、枢軸７４を中心として固定ブロック７１と分離、接合可能とされ、可動ブロック７２に横向きに長い固定溝７５が設けられ、該固定溝７５はボルト７６が固定ブロック７１及び挟持手段６０を貫通するのに供され、ボルト７６は並びにナット７６０で固定され、クランプ７０が挟持手段６０に固定され並びに可動ブロック７２を緩める、或いは締めつける作用を達成し、固定ブロック７１と可動ブロック７２の接合面間に縦向きに長い挟持溝７７が設けられ、並びに挟持溝７７の外端に挟持孔７８が設けられてパターａの挿入と挟持固定に供される。
【００１８】
使用時に、第１種の状況では人はパット動作訓練装置の後方位置に立って使用し、図２、６、７に示されるように、練習者の身体の高さの違いに応じて、該伸縮ロッド２３の突出長さを調節する。この時、二つの直立管２０の外側の緊迫手段２６を緩め、その末端を伸縮ロッド２３外壁より乖離させ、二つの伸縮ロッド２３の高さを調節してから再度この二つの緊迫手段２６を締めれば、吊棒２７を練習者の身長に合わせて調整できる。次に練習者の身体の前向きの角度に合わせ、スイングロッド４０の傾斜度を調節する。それは、二つの伸縮ロッド２３の上部の二つの緊迫手段２３３を緩め、並びに吊棒２７を適合する角度まで回し、更に緊迫手段２３３を締めつければ、スイングロッド４０を人体の腰を曲げた前傾角度に合わせて調整できる。
【００１９】
続いて、図２、４、６、７に示されるように、クランプ７０の高さを微調整する必要があるなら、まずスイングロッド４０の前方のナット５３を緩め、延伸ロッド５０を押し上げるか引き下げる。この時、該延伸ロッド５０はその左右の二側に分布する係止溝５１と、スイングロッド４０の係止ユニット４６のビーズ４６５の弾性係止関係により多段微調整位置決めの機能を達成でき、適切な位置に調節してからナット５３を締めればよい。この時、パターａのグリップａ１を握り、枢着手段３とスイングロッド４０の組合せ中の軸受４２、前壁の球体４１４と後壁の球体３４０によりパットスイング練習を行うことができる。
【００２０】
図２、８には本発明の挟持手段６０のもう一つの実施例が示され、本発明の第２種の練習状況に対応し、練習者をベース１１の前側に立たせて練習させることができる。それは図６に示される挟持手段６０を取り外した後に、図８に示される挟持手段６０に交換すればよく、この挟持手段６０は前向きに折り曲げられ更に上に延伸されたロッドフレームとされ、その上部６１は二つの嵌合部５４内に挿入され、並びに二つの孔（図示せず）を有して嵌合部５４の穿孔５５に、接続手段６３（例えばボルト）とナット６３０で結合される。挟持手段６０は延伸ロッド５０の下端に接合され、該挟持手段６０の別端はクランプ７０に接続され、該クランプ７０はパターａを斜めに挿入してそれを挟持固定するのに供され、こうして練習者を前側に立たせてパターのスイング練習を行わせることができる。
【００２１】
このほか、図９に示されるように、練習者は三角フレーム８０の挟持手段を利用して両手でパット動作を行う姿勢を補助することができる。すなわち、図２に示される挟持手段６０を取り外し、三角フレーム８０の底部二側に設けられたブロック状の挿入柱（図示せず）を、延伸ロッド５０の前面二側の下に凹んだ挟持孔５６内に挿入して位置決めすれば、練習者に三角フレーム８０の両側の挟持リング８１により腕を挟んでスイング練習を行わせることができる。
【００２２】
総合すると、本発明の吊棒２７がパターａを吊掛ける時の重心は固定フレーム１０の左右の直立管２０間に掛かり、二つの直立管２０が二つのベース１１の上に立設されているため、吊掛られたパターａの重心は、図６に示される挟持手段６０或いは図８に示される挟持手段６０のいずれを使用しても安定して二つのベース１１内にあり、完全に周知の構造の前傾或いは後仰の危険が発生するのを防止でき、ベース１１の底部の貫通溝１２が球を押し出す空間に供される。重要なことは、本発明のスイングロッド４０は軸受４２により左右にスイング可能であるのみならず、スイングロッド４０と二つの挟持板３０、３００の間が、球体３４０、球体４１４をインタフェースとして組み合わされたことにより、大幅にそのスイングのなめらかさを増すことができ、左右の二つの直立管２０の安定性を増し、二つのベース１１の間が更に横方向に連接棒１５とかしめ接合され、これにより図１のような周知の技術のように容易に傾倒して事故を発生する欠点がない。このような構造の特徴は、既存のこのような構造中においては見られず、本発明独自のものであり、ゆえに本発明は上述のような長所を具備するものである。ただし以上の実施例は本発明の実施範囲を限定するものではなく、本発明の特許請求の範囲の記載に基づきなしうる同等の変化及び修飾はいずれも本発明の権利請求範囲内に属するものとする。
【図面の簡単な説明】
【００２３】
【図１】特許文献１の側面図である。
【図２】本発明の実施例の立体分解図である。
【図３】本発明の枢着手段、スイングロッドの部分断面図である。
【図４】本発明のスイングロッドと延伸ロッドの部分断面図である。
【図５】本発明のクランプの拡大図である。
【図６】本発明の実施例表示図である。
【図７】図６の側面図である。
【図８】本発明の別の実施例表示図である。
【図９】本発明の三角フレームを応用した実施例表示図である。
【符号の説明】
【００２４】
１０’ベース                  ２１’フレームロッド
２２１’挿入部                ２２２’折り曲げ部
３０’第１ロッド              ４０’第２ロッド
３’挟持装置
Ｂ  パター
１０  固定フレーム            １１  ベース
１２  貫通溝                  １３  挿入孔
１３１  ストッパ              １４  嵌合管
１５  連接棒                  １６  ピン
２０  直立管                  ２１  ボルト
２２  ネジ孔                  ２３  伸縮ロッド
２３２  嵌合管                ２３３  緊迫手段
２４  係止溝                  ２５  壁孔
２６  緊迫手段                ２７  吊棒
３  枢着手段                  ３０、３００  挟持板
３１  枢設孔                  ３２  固定手段
３３  魚眼孔                  ３３０  凸柱
３２０  ナット                ３４  凹孔
３４０  球体                  ３５  穿孔
３６  環状溝
４０  スイングロッド          ４１  頭部
４１１  回転孔                ４１２  環状溝
４１３  凹孔                  ４１４  球体
４１５  連接手段              ４１６  ナット
４２  軸受                    ４３  Ｔ形溝
４４  管孔                    ４５  ボルト
４６  係止ユニット            ４６１  ネジ管
４６３  ボルト                ４６４  弾性体
４６５  ビーズ
５０  延伸ロッド              ５１  係止溝
５２  貫通孔                  ５３  ナット
５４  嵌合部                  ５５  穿孔
５６  挟持孔
６０  挟持手段                ６１  上部
６２  孔                      ６３  接続手段
６３０  ナット
７１  固定ブロック            ７２  可動ブロック
７３  枢設孔                  ７４  枢軸
７５  固定溝                  ７６  ボルト
７６０  ナット                ７７  挟持溝
７８  挟持孔
８０  三角フレーム            ８１  挟持リング
ａ  パター                    ａ１  グリップ
【図１】
2006026061.tif 000003
【図２】
2006026061.tif 000004
【図３】
2006026061.tif 000005
【図４】
2006026061.tif 000006
【図５】
2006026061.tif 000007
【図６】
2006026061.tif 000008
【図７】
2006026061.tif 000009
【図８】
2006026061.tif 000010
【図９】
2006026061.tif 000011